(57)【要約】【課題】施設園芸用空調システムにおいて、施設園芸空間において任意の領域の空調を行う。【解決手段】施設園芸用空調システム１は、施設園芸空間の一例であるビニルハウス１００において暖房、冷房、加湿、除湿、二酸化炭素供給、空気流動、及び換気のうち少なくとも１つを行う空調機１０と、この空調機１０から供給される気体を流す複数本のダクト２０（２０−１，２０−２，・・・，２０−１１）と、複数本のダクト２０のうち少なくとも３本のダクトが接続される複数のダクト接続装置３０（ダクト接続装置３０−１，３０−２，３０−３，３０−４）とを備え、複数のダクト接続装置３０のそれぞれは、第１のダクトから第２のダクトに続く第１の流路Ｐ１１，Ｐ２１，Ｐ３１，Ｐ４１の流量と、第１のダクトから第３のダクトに続く第２の流路Ｐ１２，Ｐ２２，Ｐ３２，Ｐ４２の流量とを調整する流量調整手段の一例である電磁弁３１，３２，３３を有する。【選択図】図１
2020198811.tif 000002
【特許請求の範囲】
【請求項１】
施設園芸空間において暖房、冷房、加湿、除湿、二酸化炭素供給、空気流動、及び換気のうち少なくとも１つを行う空調機と、
前記空調機から供給される気体を流す複数本のダクトと、
前記複数本のダクトのうち少なくとも３本のダクトが接続される複数のダクト接続装置とを備え、
前記複数のダクト接続装置のそれぞれは、
第１のダクトから第２のダクトに続く第１の流路の流量と、前記第１のダクトから第３のダクトに続く第２の流路の流量とを調整する流量調整手段を有する
ことを特徴とする施設園芸用空調システム。
【請求項２】
前記流量調整手段は、前記施設園芸空間に配置された環境センサの検知結果に基づいて、前記第１の流路の流量と前記第２の流路の流量とを調整する
ことを特徴とする請求項１記載の施設園芸用空調システム。
【請求項３】
前記複数のダクト接続装置のうち少なくとも１つのダクト接続装置は、前記第１の流路及び前記第２の流路において暖房、冷房、加湿、除湿、及び空気流動のうち少なくとも１つを行う補助空調機を更に有する
ことを特徴とする請求項１又は２記載の施設園芸用空調システム。
【発明の詳細な説明】
【技術分野】
【０００１】
本発明は、ビニルハウスなどの施設園芸空間に配置される施設園芸用空調システムに関する。
【背景技術】
【０００２】
従来、施設園芸空間には、暖房機から温風を供給するためのダクトや、二酸化炭素発生機から二酸化炭素を供給するためのダクトなどが敷設されている（例えば、特許文献１及び２参照）。
【先行技術文献】
【特許文献】
【０００３】
【特許文献１】特開２０１３−１８８１９０号公報
【特許文献２】特開２０１８−７５７３号公報
【発明の概要】
【発明が解決しようとする課題】
【０００４】
ところで、施設園芸空間においては、栽培される作物の育成の不均一や病害の蔓延などを防ぐために、温度、湿度（飽差）、二酸化炭素濃度などのパラメータ（環境情報）が均一であることが望ましい。
【０００５】
しかしながら、施設園芸空間は、内部が広いほど、暖房機等の装置の配置場所、日照などの影響で、温度ムラ、湿度ムラ、二酸化炭素濃度ムラなどが生じ、センサによって環境情報が取得されても、暖房機、冷房機、加湿器（ミスト発生器）、除湿器、二酸化炭素発生装置、送風装置、換気装置などから、上述のダクトを介して施設園芸空間全体に気体が供給されるにすぎない。
【０００６】
本発明の目的は、施設園芸空間において任意の領域の空調を行うことができる施設園芸用空調システムを提供することである。
【課題を解決するための手段】
【０００７】
１つの態様では、施設園芸用空調システムは、施設園芸空間において暖房、冷房、加湿、除湿、二酸化炭素供給、空気流動、及び換気のうち少なくとも１つを行う空調機と、前記空調機から供給される気体を流す複数本のダクトと、前記複数本のダクトのうち少なくとも３本のダクトが接続される複数のダクト接続装置とを備え、前記複数のダクト接続装置のそれぞれは、第１のダクトから第２のダクトに続く第１の流路の流量と、前記第１のダクトから第３のダクトに続く第２の流路の流量とを調整する流量調整手段を有する。
【発明の効果】
【０００８】
前記態様によれば、施設園芸空間において任意の領域の空調を行うことができる。
【図面の簡単な説明】
【０００９】
【図１】一実施の形態に係る施設園芸用空調システムを示す平面図である。
【図２】（ａ）〜（ｄ）は、一実施の形態におけるダクト接続装置を示す説明図である。
【図３】一実施の形態におけるダクト接続具を示す説明図である。
【発明を実施するための形態】
【００１０】
以下、本発明の一実施の形態に係る施設園芸用空調システムについて、図面を参照しながら説明する。
【００１１】
図１は、一実施の形態に係る施設園芸用空調システム１を示す平面図である。
図２（ａ）〜（ｄ）は、一実施の形態におけるダクト接続装置３０を示す説明図である。
【００１２】
図１に示すように、施設園芸用空調システム１は、空調機１０と、複数本のダクト２０（２０−１，２０−２，・・・，２０−１１）と、複数のダクト接続装置３０（３０−１，３０−２，３０−３，３０−４，３０−５）と、制御盤４０とを備える。
【００１３】
空調機１０は、ビニルハウス１００内の周縁に配置されている。空調機１０は、例えば暖房機であるが、冷房機、加湿器（ミスト発生器）、除湿器、二酸化炭素発生機、送風装置、換気装置などであってもよい。すなわち、空調機１０は、施設園芸空間の一例であるビニルハウス１００において暖房、冷房、加湿、除湿、二酸化炭素供給、空気流動、及び換気のうち少なくとも１つを行うものであるとよい。また、施設園芸用空調システム１が複数の空調機１０を備えてもよい。
【００１４】
複数本のダクト２０は、例えば、ビニルハウス１００内の周縁に沿って配置されたダクト２０−１，２０−３，２０−４，２０−６，２０−８，２０−１０と、例えば図１における左右方向に延びるダクト２０−２，２０−５，２０−７，２０−９，２０−１１とを有し、空調機１０から供給される気体を流す。
【００１５】
ビニルハウス１００内の周縁に沿って配置されたダクト２０−１，２０−３，２０−４，２０−６，２０−８，２０−１０は、空調機１０とダクト接続装置３０−１との間に配置されたダクト２０−１と、ダクト接続装置３０−１とダクト接続装置３０−３との間に配置されたダクト２０−３と、空調機１０とダクト接続装置３０−２との間に配置されたダクト２０−４と、ダクト接続装置３０−２とダクト接続装置３０−４との間に配置されたダクト２０−６と、ダクト接続装置３０−３とダクト接続装置３０−５との間に配置されたダクト２０−８と、一端をダクト接続装置３０−４に接続され他端が開口しているダクト２０−１０とを含む。
【００１６】
また、図１における左右方向に延びるダクト２０−２，２０−５，２０−７，２０−９，２０−１１は、一端をダクト接続装置３０−１に接続されたダクト２０−２と、一端をダクト接続装置３０−２に接続されたダクト２０−５と、一端をダクト接続装置３０−３に接続されたダクト２０−７と、一端をダクト接続装置３０−４に接続されたダクト２０−９と、一端をダクト接続装置３０−５に接続されたダクト２０−１１とを含む。
【００１７】
一例にすぎないが、ビニルハウス１００内の周縁に沿って配置されたダクト２０−１，２０−３，２０−４，２０−６，２０−８，２０−１０は、プラスチック製の硬質材料からなる。一方、図１における左右方向に延びるダクト２０−２，２０−５，２０−７，２０−９，２０−１１は、ビニルハウス１００内で踏まれやすい位置にあるといえるため、ビニルなどの可撓性材料からなる。
【００１８】
左右方向に延びるダクト２０−２，２０−５，２０−７，２０−９，２０−１１は、気体を吹き出すための複数の吹き出し口２０−２ａ，２０−５ａ，２０−７ａ，２０−９ａ，２０−１１ａを有する。これらの吹き出し口２０−２ａ，２０−５ａ，２０−７ａ，２０−９ａ，２０−１１ａは、ダクト２０−２，２０−５，２０−７，２０−９，２０−１１の長手方向に亘って気体の吹き出し量が一定に近づくように、空調機１０から続く流路の上流側よりも下流側において、設けられる密度が高くなっている。また、ダクト２０−２，２０−５，２０−７，２０−９，２０−１１のうち、ダクト接続装置３０に接続された一端とは反対側の他端は、開口している。
【００１９】
複数のダクト接続装置３０は、例えばビニルハウス１００内の周縁に配置されている。複数のダクト接続装置３０のそれぞれは、互いに同一製品（同一形状）とすることができる。
【００２０】
複数のダクト接続装置３０は、３本のダクト２０−１，２０−２，２０−３が接続されるダクト接続装置３０−１と、３本のダクト２０−４，２０−５，２０−６が接続されるダクト接続装置３０−２と、３本のダクト２０−３，２０−７，２０−８が接続されるダクト接続装置３０−３と、３本のダクト２０−６，２０−９，２０−１０が接続されるダクト接続装置３０−４と、２本のダクト２０−８，２０−１１が接続されるダクト接続装置３０−５とを有する。複数のダクト接続装置３０のそれぞれには、少なくとも３本のダクトが接続されるとよい。例えば、ダクト接続装置３０がビニルハウス１００内の中央に配置される場合には、前後左右に４本以上のダクトが接続されるとよい。なお、ダクト接続装置３０−５は、ビニルハウス１００内の角に配置されているため、２つのダクト２０−８，２０−１１のみが接続されるが、ダクト接続口は３つ有する。
【００２１】
図２（ａ）〜（ｄ）に示すように、ダクト接続装置３０は、電磁弁３１，３２，３３と、ファン３４，３５，３６と、電熱コイル３７とを有する。また、ダクト接続装置３０には、３つのダクト接続口３０ａ，３０ｂ，３０ｃが設けられている。
【００２２】
電磁弁３１は、ダクト接続口３０ａを通る流路を開閉し、電磁弁３２は、ダクト接続口３０ｂを通る流路を開閉し、電磁弁３３は、ダクト接続口３０ｃを通る流路を開閉する。
【００２３】
ダクト接続口３０ａが流路の上流側で、ダクト接続口３０ｂ，３０ｃが流路の下流側である場合、図２（ｂ）に示すように電磁弁３１，３２が開いた状態では、ダクト接続口３０ａに接続されるダクト２０（第１のダクト）から、ダクト接続口３０ｂに接続されるダクト２０（第２のダクト）に続く第１の流路Ｐ１が開く。また、図２（ｃ）に示すように電磁弁３１，３３が開いた状態では、ダクト接続口３０ａに接続されるダクト２０（第１のダクト）から、ダクト接続口３０ｃに接続されるダクト２０（第３のダクト）に続く第２の流路Ｐ２が開く。また、図２（ｄ）に示すようにすべての電磁弁３１，３２，３３が開いた状態では、ダクト接続口３０ａに接続されるダクト２０（第１のダクト）からダクト接続口３０ｂに接続されるダクト２０（第２のダクト）に続く第１の流路Ｐ１、及び、ダクト接続口３０ａに接続されるダクト２０（第１のダクト）からダクト接続口３０ｃに接続されるダクト２０（第３のダクト）に続く第２の流路Ｐ２の両方が開く。
【００２４】
このように、電磁弁３１，３２，３３は、第１のダクトから第２のダクトに続く第１の流路の流量と、第１のダクトから第３のダクトに続く第２の流路の流量とを調整する流量調整手段の一例として機能する。
【００２５】
電磁弁３１，３２，３３の開く量が可変である場合には、第１の流路Ｐ１及び第２の流路Ｐ２の流量を更に細かく調整することができる。
【００２６】
流量調整手段としては、流路を開く位置と流路を閉じる位置とに移動可能な開閉部材（例えばダンパ）などであってもよく、電磁弁３１，３２，３３に限られない。
【００２７】
なお、図１に示すダクト接続装置３０−１，３０−２，３０−３，３０−４においては、電磁弁３１，３２，３３が第１の流路Ｐ１１，Ｐ２１，Ｐ３１，Ｐ４１の流量と、第２の流路Ｐ１２，Ｐ２２，Ｐ３２，Ｐ４２の流量とを調整する。一方、ダクト接続装置３０−５は、単一の流路Ｐ５１のみを有するため、ダクト接続装置３０−５内の２つの流路における流量の調整は行われないが、例えば、ダクト２０−８からダクト２０−１１に続く流路Ｐ５１を閉じれば、他のダクト（例えば、ダクト２０−７）から吹き出される気体の量を増やすことができる。
【００２８】
図２（ａ）〜（ｄ）に示すファン３４は、ダクト接続口３０ａを通る流路（第１の流路Ｐ１及び第２の流路Ｐ２）において送風（空気流動）を行い、ファン３５は、ダクト接続口３０ｂを通る流路（第１の流路Ｐ１）において送風を行い、ファン３６は、ダクト接続口３０ｃを通る流路（第２の流路Ｐ２）において送風を行う。ファン３４，３５，３６は、第１の流路Ｐ１及び第２の流路Ｐ２において暖房、冷房、加湿、除湿、及び空気流動のうち少なくとも１つを行う補助空調機の一例として機能する。また、ファン３４，３５，３６は、上述の電磁弁３１，３２，３３が配置されていなくとも、送風によって、第１のダクトから第２のダクトに続く第１の流路の流量と、第１のダクトから第３のダクトに続く第２の流路の流量とを調整することができるため、上述の流量調整手段の一例として機能することもできる。
【００２９】
ファン３４，３５，３６は、特に電磁弁３１，３２，３３などの流量調整手段が配置されている場合には、複数のダクト接続装置３０のすべてに配置されていなくともよく、例えば、空調機１０からの流路の距離が長いダクト接続装置３０など、少なくとも１つのダクト接続装置３０に配置されているとよい。
【００３０】
電熱コイル３７は、電磁弁３１，３２，３３に囲まれた領域に配置され、第１の流路Ｐ１及び第２の流路Ｐ２において暖房を行う。電熱コイル３７は、ファン３４，３５，３６と同様に、第１の流路Ｐ１及び第２の流路Ｐ２において暖房、冷房、加湿、除湿、及び空気流動のうち少なくとも１つを行う補助空調機の一例として機能する。なお、電熱コイル３７は、ファン３４，３５，３６と同様に、複数のダクト接続装置３０のすべてに配置されていなくともよく、例えば、空調機１０からの流路の距離が長いダクト接続装置３０など、少なくとも１つのダクト接続装置３０に配置されているとよい。
【００３１】
ダクト接続装置３０のダクト接続口３０ａ，３０ｂ，３０ｃとダクト２０との接続は、例えば図３に示すダクト接続具５０を用いることができる。
【００３２】
ダクト接続具５０は、バンド５１と、ネジ５２と、ワッシャ５３，５４と、蝶ナット５５とを有する。
【００３３】
バンド５１は、円形状に湾曲し、両端に被固定部５１ａ，５１ｂが設けられている。この被固定部５１ａ，５１ｂは、バンド５１の両端から円形状の外側に直角に屈曲し、互いに対向する。
【００３４】
ネジ５２は、ワッシャ５３，５４及び蝶ナット５５によって被固定部５１ａ，５１ｂを固定する。
【００３５】
なお、ダクト接続口３０ａ，３０ｂ，３０ｃとダクト２０との接続は、ネジ５２を用いるダクト接続具５０に限らず、嵌め込みによって固定されるコネクタなどのその他の手段によるものであってもよい。
【００３６】
図１に示す制御盤４０は、例えば、有線又は無線で接続された空調機１０及びダクト接続装置３０の制御を行う。また、制御盤４０は、ダクト２０には接続されない、天窓、カーテン、循環扇、ミスト発生機などの各部の制御も行うとよい。なお、制御盤４０は、施設園芸用空調システム１のユーザの携帯端末などにおける操作に基づき、或いは、クラウドコンピュータなどからの指示に基づき、空調機１０、ダクト接続装置３０等の各部の制御を行ってもよい。また、各部の制御は、クラウドコンピュータなどの外部機器が制御盤４０を介さずに直接的に行ってもよい。
【００３７】
制御盤４０は、ビニルハウス１００内に配置された環境センサＳ１，Ｓ２，Ｓ３，Ｓ４，Ｓ５の検知結果を取得する。環境センサＳ１，Ｓ２，Ｓ３，Ｓ４，Ｓ５の検知結果は、例えば、温度情報、湿度（飽差）情報、二酸化炭素濃度情報などのうちの少なくとも１つの環境情報である。なお、ビニルハウス１００に配置される環境センサとしては、ビニルハウス１００内に配置されるものに限られず、例えば、ビニルハウス１００の外面に配置される外気温用の温度センサや、日照を検知する日照センサなどであってもよい。
【００３８】
制御盤４０は、環境センサＳ１，Ｓ２，Ｓ３，Ｓ４，Ｓ５の検知結果に基づいて、例えば、温度ムラ、湿度ムラ、二酸化炭素濃度ムラなどを解消するように、環境センサＳ１近傍に配置されたダクト２０−２、環境センサＳ２近傍に配置されたダクト２０−５、環境センサＳ３近傍に配置されたダクト２０−７、環境センサＳ４近傍に配置されたダクト２０−９、及び環境センサＳ５近傍に配置されたダクト２０−１１からの気体の吹き出し量を調整するように、複数のダクト接続装置３０それぞれの電磁弁３１，３２，３３の開閉量を制御する。
【００３９】
また、制御盤４０は、環境センサＳ１，Ｓ２，Ｓ３，Ｓ４，Ｓ５の検知結果に基づいて、例えば、温度ムラ、湿度ムラ、二酸化炭素濃度ムラなどを解消するように、ファン３４，３５，３６及び電熱コイル３７を制御してもよい。
【００４０】
なお、施設園芸用空調システム１のユーザが、電磁弁３１，３２，３３の開閉量、ファン３４，３５，３６及び電熱コイル３７の設定などを操作し、それに基づいて制御盤４０が制御を行ってもよいため、制御盤４０による制御は、環境センサＳ１，Ｓ２，Ｓ３，Ｓ４，Ｓ５の検知結果に基づくものに限られない。
【００４１】
以上説明した本実施の形態では、施設園芸用空調システム１は、施設園芸空間の一例であるビニルハウス１００において暖房、冷房、加湿、除湿、二酸化炭素供給、空気流動、及び換気のうち少なくとも１つを行う空調機１０と、この空調機１０から供給される気体を流す複数本のダクト２０（２０−１，２０−２，・・・，２０−１１）と、複数本のダクト２０のうち少なくとも３本のダクトが接続される複数のダクト接続装置３０（ダクト接続装置３０−１，３０−２，３０−３，３０−４）とを備え、複数のダクト接続装置３０のそれぞれは、流量調整手段の一例である電磁弁３１，３２，３３を有する。この電磁弁３１，３２，３３は、第１のダクトから第２のダクトに続く第１の流路Ｐ１，Ｐ１１，Ｐ２１，Ｐ３１，Ｐ４１の流量と、第１のダクトから第３のダクトに続く第２の流路Ｐ２，Ｐ１２，Ｐ２２，Ｐ３２，Ｐ４２の流量とを調整する
これにより、複数のダクト接続装置３０のそれぞれにおいて、第１の流路の流量と第２の流路の流量とを調整することができるため、空調機１０から供給される気体を、ビニルハウス１００における任意の領域に送ることができる。よって、本実施の形態によれば、ビニルハウス１００等の施設園芸空間において任意の領域の空調を行うことができる。そのため、ビニルハウス１００において、温度、湿度（飽差）、二酸化炭素濃度などのパラメータ（環境情報）を均一にすることで、栽培される作物の育成の不均一や病害の蔓延などを防ぐこともできる。
【００４２】
また、本実施の形態では、流量調整手段の一例である電磁弁３１〜３３は、ビニルハウス１００に配置された環境センサＳ１，Ｓ２，Ｓ３，Ｓ４，Ｓ５の検知結果に基づいて、第１の流路Ｐ１，Ｐ１１，Ｐ２１，Ｐ３１，Ｐ４１の流量と、第２の流路Ｐ２，Ｐ１２，Ｐ２２，Ｐ３２，Ｐ４２の流量とを調整する。これにより、ビニルハウス１００の温度ムラ、湿度ムラ、二酸化炭素濃度ムラなどを解消するように、ビニルハウス１００において空調機１０から供給される気体を送ることができる。
【００４３】
また、本実施の形態では、複数のダクト接続装置３０のうち少なくとも１つのダクト接続装置３０は、第１の流路Ｐ１，Ｐ１１，Ｐ２１，Ｐ３１，Ｐ４１及び第２の流路Ｐ２，Ｐ１２，Ｐ２２，Ｐ３２，Ｐ４２において暖房、冷房、加湿、除湿、及び空気流動のうち少なくとも１つを行う補助空調機の一例である電熱コイル３７を更に有する。これにより、例えば、空調機１０からの流路の距離が長いダクト接続装置３０などにおいて空調を補助的に行うことができるため、ビニルハウス１００の温度ムラ、湿度ムラ、二酸化炭素濃度ムラなどを更に解消することができる。
【符号の説明】
【００４４】
１  施設園芸用空調システム
１０  空調機
２０（２０−１，２０−２，・・・，２０−１１）  ダクト
２０−２ａ，２０−５ａ，２０−７ａ，２０−９ａ，２０−１１ａ  吹き出し口
３０（３０−１，３０−２，３０−３，３０−４，３０−５）  ダクト接続装置
３０ａ，３０ｂ，３０ｃ  ダクト接続口
３１，３２，３３  電磁弁（流路調整手段）
３４，３５，３６  ファン（補助空調機）
３７  電熱コイル（補助空調機）
４０  制御盤
５０  ダクト接続具
５１  バンド
５１ａ，５１ｂ  被固定部
５２  ネジ
５３，５４  ワッシャ
５５  蝶ナット
Ｐ１，Ｐ２，Ｐ１１，Ｐ１２，Ｐ２１，Ｐ２２，Ｐ３１，Ｐ３２，Ｐ４１，Ｐ４２，Ｐ５１  流路
Ｓ１，Ｓ２，Ｓ３，Ｓ４，Ｓ５  環境センサ
１００  ビニルハウス（施設園芸空間）
【図１】
2020198811.tif 000003
【図２】
2020198811.tif 000004
【図３】
2020198811.tif 000005